(57)【要約】      （修正有）【課題】開封タブの引き起こし前であっても取外しが容易な缶用表示具を提供する。【解決手段】缶用表示具１は、シート本体１０を備え、例えば飲料用の缶容器６０に取り付けられるものであり、シート本体１０は、缶蓋６１の開封タブ６２とパネル面６３との間で挟持可能に形成される切欠き部１１と、表示部２０と、を備える。更には、切欠き部１１の縁部には、凹状縁部１２が形成され切欠き部１１と表示部２０との間には舌片状スリット１３が設けられ、舌片状スリット１３の左右両側には屈曲部１４が形成される。【選択図】図３
0003228967.tif 000002
【実用新案登録請求の範囲】
【請求項１】
缶蓋の開封タブとパネル面との間で挟持可能に形成される切欠き部における凹状縁部と、表示部と、を備えるシート本体と、
を有することを特徴とする缶用表示具。
【請求項２】
前記切欠き部と前記表示部との間には舌片状スリットが設けられ、
前記舌片状スリットの側方には屈曲部が形成されることを特徴とする請求項１に記載の缶用表示具。
【請求項３】
前記屈曲部の外側には、前記缶蓋の縁部が係合可能な凹部を備える第１の缶蓋係合部が形成され、
前記第１の缶蓋係合部の外側には、支持突起片部が形成され、
前記支持突起片部の外側には前記缶蓋の縁部と径が異なる缶蓋の縁部が係合可能な凹状の第２の缶蓋係合部が形成されることを特徴とする請求項２に記載の缶用表示具。
【考案の詳細な説明】
【技術分野】
【０００１】
本考案は、缶容器の缶蓋に取り付ける缶用表示具に関する。
【背景技術】
【０００２】
従来から、表示部を備えて缶蓋の開封タブに係止する缶用表示具が開示されている。例えば、特許文献１に開示される缶用表示具は、一対の端縁を有する係止部を備える。この係止部は、開封タブとパネル面との間で挟持され、開封タブを引き起こす方向と直交する方向に亘って配置される。缶胴の飲み口（スコア）側には、この缶用表示具の表示部が配置され、帯状の連結部により係止部と表示部とが連結される。この缶用表示具の缶容器への装着は、開封タブ側から係止部を挿入して、該係止部を開封タブとパネル面との間に挟持させて行われる。そして、表示部を缶胴周りに配置する。このようにして、缶用表示具が缶容器に取り付けられる。
【先行技術文献】
【特許文献】
【０００３】
【特許文献１】特開２０１５−４４６１７号公報
【考案の概要】
【考案が解決しようとする課題】
【０００４】
上記従来の缶用表示具は、缶容器の内容物を缶容器から排出する際に開封タブを引き起こすことで、缶容器から容易に取り外すことができる。しかしながら、開封タブを引き起こす前に取り外したい場合には、係止部を開封タブへの挿入方向と反対側に移動させて取り外すが、このとき、開封タブを引き起こす方向と直交する帯状の係止部が折れてしまう等して取り外し難い場合があった。また、上記従来の缶用表示具では、係止部が位置ズレ等し易く、取り付けた際の保持力を維持することが難しかった。
【０００５】
本考案は、開封タブの引き起こし前であっても取外しが容易な缶用表示具を提供することを目的とする。
【課題を解決するための手段】
【０００６】
本考案の缶用表示具は、缶蓋の開封タブとパネル面との間で挟持可能に形成される切欠き部における凹状縁部と、表示部と、を備えるシート本体と、を有することを特徴とする。
【考案の効果】
【０００７】
本考案によれば、開封タブの引き起こし前であっても取外しが容易であり、かつ、取り付けた際の保持力を維持している缶用表示具を提供することができる。
【図面の簡単な説明】
【０００８】
【図１】本考案の実施形態に係る缶用表示具の平面図である。
【図２】本考案の実施形態に係る缶用表示具を組み立てた状態を示す斜視図である。
【図３】本考案の実施形態に係る缶用表示具を缶容器に取り付けた状態を示す斜視図である。
【図４】本考案の実施形態に係る缶用表示具を缶蓋の径が大きい缶容器に取り付けた状態を示す斜視図である。
【図５】本考案の実施形態に係る缶用表示具の変形例を示す平面図であり、（ａ）は変形例１を示し、（ｂ）は変形例２を示す。
【図６】本考案の実施形態に係る缶用表示具の変形例を示す平面図であり、（ａ）は変形例３を示し、（ｂ）は変形例４を示す。
【図７】本考案の実施形態に係る缶用表示具の変形例４を缶容器に取り付けた状態を示す斜視図である。
【考案を実施するための形態】
【０００９】
次に、図に基づいて、本考案の実施形態を説明する。図１に示す缶用表示具１は、紙製シートを切り抜いて形成したシート本体１０を備える。シート本体１０は、切欠き部１１と、切欠き部１１と対向する位置に、図１の左右方向に長い略長矩形状の表示部２０を備える。切欠き部１１は、シート本体１０の下側端縁１０ａの左右方向の略中央から凹状に切り欠かれて形成される。切欠き部１１の縁形状は、下側端縁１０ａ側から直線状に漸次拡開する直線拡開縁１１ａと、直線拡開縁１１ａの端部同士を円弧状に連結する円弧連結縁１１ｂとを有する。
【００１０】
切欠き部１１の縁部（すなわち、直線拡開縁１１ａ及び円弧連結縁１１ｂの近傍のシート本体１０の部分であって、図１においてハッチングを施した部分）には、凹状縁部１２が形成される。凹状縁部１２は、直線拡開縁１１ａと円弧連結縁１１ｂの近傍における所定範囲のシート本体１０とされる。切欠き部１１における凹状縁部１２は、後述する缶容器６０における缶蓋６１の開封タブ６２とパネル面６３（図３参照）との間で挟持可能に形成される。
【００１１】
切欠き部１１と表示部２０との間には、舌片状スリット１３が形成される。舌片状スリット１３は、表示部２０と長手方向を同じにする略長矩形状の角丸状に形成され、切欠き部１１側がシート本体１０と連続するよう形成される。換言すれば、舌片状スリット１３は、切欠き部１１側の辺を省略した略長矩形形状で形成される。そして、舌片状スリット１３の両側方には、折り曲げされる部位である屈曲部１４が形成される。屈曲部１４には、破線で示すように、舌片状スリット１３の両端部から左右方向の外側に向かって線状の折筋１４ａが裏面から押圧して形成される。なお、屈曲部１４は、舌片状スリット１３の両側方に形成されるが、一方側のみに形成してもよい。
【００１２】
各屈曲部１４の外側の両側方には、それぞれ切欠き凹状に第１の缶蓋係合部１５が形成される。第１の缶蓋係合部１５の縁形状は、上下方向に長い略長矩形状に形成されて、屈曲部１４側の第１角部１５ａが角丸状に形成される。一方、第１角部１５ａの外側に形成される第２角部１５ｂは、略直角状（若干鋭角状）に形成される。第１角部１５ａから第２角部１５ｂまで接続する縁線１５ｃは、第１角部１５ａから第２角部１５ｂに向かって登るように傾斜して形成される。
【００１３】
各第１の缶蓋係合部１５の外側の両側方には、それぞれ下方向（切欠き部１１側）に突出する支持突起片部１６が形成される。支持突起片部１６は、上下方向に長い略長矩形状に形成される。支持突起片部１６の内側（第１の缶蓋係合部１５側）の角部１６ａは、Ｃ面取り状に形成される。
【００１４】
支持突起片部１６の外側の両側方には、凹状の第２の缶蓋係合部１７が形成される。第２の缶蓋係合部１７は、表示部２０に向けて延びる支持突起片部１６の外側端縁１６ｂと、外側端縁１６ｂが表示部２０の下端と突き当たって左右方向外側に向けて延びる横縁辺１７ａとで形成される。
【００１５】
缶用表示具１は、図２に示すように、表示部２０を起こして使用される。このとき、切欠き部１１側のシート本体１０との角度は略鈍角（例えば約１２０度）となるよう設定される。舌片状スリット１３は、表示部２０と切り離されて舌片支持部１３ａが形成される。
【００１６】
図３は、缶用表示具１を缶容器６０に取り付けた状態を示す。ここで、本実施形態における缶容器６０は、公知の飲料用缶容器である。缶容器６０の有底円筒状の缶胴６８の上端部には缶蓋６１が設けられる。缶蓋６１は、開封タブ６２が設けられる。開封タブ６２は、缶蓋６１の上面であるパネル面６３にリベットとされる固定部６４を介して固定される。缶容器６０は、開封タブ６２の指掛け部６２ａに指を掛けて引き起こすと、開封タブ６２の指掛け部６２ａと反対側の開封タブ６２の端部によりスコア６５に沿って飲み口が開口される。
【００１７】
ここで、開封タブ６２の下面とパネル面６３との隙間は、開封タブ６２の指掛け部６２ａでは、指掛けし易いように比較的大きく形成され、固定部６４に向かって漸次小さくなるよう形成される。そして、固定部６４からスコア６５側における開封タブ６２の下面は、パネル面６３とほぼ密着している。また、缶蓋６１の縁部６６は、パネル面６３よりも上方の部位にて、缶胴６８の上端部に形成された環状ビードとカシメ加工される。また、缶胴６８の上方は、窄められて肩部６８ａが形成される。
【００１８】
缶用表示具１の缶容器６０への取り付けは、先ず、図２に示すように、缶用表示具１を屈曲部１４で折り曲げて表示部２０を引き起こしておく。そして、缶容器６０の開封タブ６２の指掛け部６２ａ側から、開封タブ６２とパネル面６３（缶蓋６１の上面）との間に切欠き部１１を挿入する。シート本体１０の下側端縁１０ａは、開封タブ６２の下面がパネル面６３と密着する位置（おおよそ、固定部６４の位置）まで挿入される。又は、切欠き部１１を開封タブ６２とパネル面６３との間に挿入した後、屈曲部１４で折り曲げて表示部２０を引き起こしてもよい。
【００１９】
このとき、切欠き部１１における凹状縁部１２は、開封タブ６２とパネル面６３との間で挟持された状態となる。また、舌片支持部１３ａは、凹状縁部１２から連続して形成されており、開封タブ６２の指掛け部６２ａによりパネル面６３に抑えつけられる様に配置される。これにより、パネル面６３と略平行となるシート本体１０の部位を安定させて、表示部２０の支持を安定させることができる。
【００２０】
また、第１の缶蓋係合部１５には、缶蓋６１の縁部６６が挿入されて、第１の缶蓋係合部１５と縁部６６が係合する。このとき、第１角部１５ａが角丸状に形成され、縁線１５ｃと共に縁部６６に合致する。これにより、第１の缶蓋係合部１５と縁部６６の係合が安定する。ここで、第１の缶蓋係合部１５は所定の幅の凹状に形成されるため、縁部６６の径が多少異なる缶容器６０であっても、同一（サイズ）の缶用表示具１を取り付けることができる。
【００２１】
さらに、支持突起片部１６の先端は、缶胴６８の肩部６８ａと当接する。特に、支持突起片部１６のＣ面取り状の角部１６ａは、傾斜する肩部６８ａと合致する。従って、第１の缶蓋係合部１５（すなわち縁部６６）よりも外側に張り出す表示部２０は、支持突起片部１６により安定して支持される。
【００２２】
また、図４に示すように、縁部６６の径が更に大きい缶容器６０Ａの場合には、第２の缶蓋係合部１７を縁部６６と係合させることができる。このとき、外側端縁１６ｂは縁部６６の内側に当接され、横縁辺１７ａは縁部６６の上面に当接され、安定して表示部２０を支持することができる。支持突起片部１６は、パネル面６３に突き当てることができるので、支持突起片部１６によっても表示部２０を支持することもできる。このようにして、缶蓋係合部（第１の缶蓋係合部１５及び第２の缶蓋係合部１７）は、縁部６６の径に応じて適宜選択することができる。
【００２３】
なお、缶用表示具１の缶容器６０，６０Ａからの取外しは、開封タブ６２の指掛け部６２ａ側から切欠き部１１を引き抜くだけで良い。従って、缶用表示具１であれば、缶容器６０，６０Ａへの取り付けだけでなく、取り外しも容易である。ここで、缶用表示具１は、開封タブ６２の周縁近傍で凹状縁部１２が差し込まれているだけなので、シート本体１０が強固に開封タブ６２とパネル面６３とで挟持されることはなく、従って缶用表示具１によれば、缶用表示具１の缶容器６０，６０Ａからの取り外しの際に、容易に開封タブ６２から凹状縁部１２が差し込まれたシート本体１０を引き抜くことができる。
【００２４】
また、表示部２０は、やや上方に傾斜して起立しているので、店頭等で上から見下ろす位置に置かれる缶容器６０，６０Ａであっても見易い表示部２０とすることができる。なお、表示部２０は、本実施形態では矩形に形成されるが、各種形状で形成することができる。また、表示部２０には、表面だけではなく裏面にも広告等の表示を印刷等することができる。
【００２５】
また、本実施形態における缶用表示具１は、缶胴６８を隠すものではないから、缶容器６０のデザインを隠してしまうことがないし、缶胴６８を把持する際にも缶用表示具１が邪魔になることがない。また、表示部２０の横幅を缶容器６０の直径よりも小さくしておけば、横並びに並べて複数の缶容器６０であっても、缶容器６０に取り付けた缶用表示具１同士が干渉してしまうことがない。
【００２６】
以下に、本実施形態の変形例を示す。なお、本実施形態と同じ個所については同じ符号を付して、その説明を省略又は簡略化する。
（変形例１）
図５（ａ）に変形例１を示す。本変形例の缶用表示具１Ａは、図１の缶用表示具１の表示部２０に換えて、意匠性を高めた表示部２０Ａとしたものである。このように、表示部２０Ａは、その目的・用途に応じて種々の形状で形成することができる。
【００２７】
（変形例２）
図５（ｂ）に変形例２を示す。本変形例の缶用表示具１Ｂは、図１の缶用表示具１の切欠き部１１に換えて、台形形状の切欠き部１１Ｂとしたものである。切欠き部１１Ｂは、表示部２０に向かって幅狭状の直線幅狭縁１１Ｂａと、直線幅狭縁１１Ｂａの両端を接続する直線接続縁１１Ｂｂにより形成される凹状縁部１２Ｂが形成される。このように、切欠き部１１Ｂは、取り付ける缶容器６０の開封タブ６２の形状や、缶用表示具１の製造上の都合等に応じて、種々の形状で形成することができる。
【００２８】
（変形例３）
図６（ａ）に変形例３を示す。本変形例の缶用表示具１Ｃは、缶蓋６１の開封タブ６２とパネル面６３との間で挟持可能に形成される切欠き部１１における凹状縁部１２と、表示部２０と、のみを備えるシート本体１０Ｃと、を有する。切欠き部１１の両外側のシート本体１０の縁形状は直線状に形成されて、表示部２０との接続縁は凹円弧状に円弧縁１８Ｃが形成される。缶用表示具１Ｃは、水平な状態で開封タブ６２に差し込んで使用してもよいし、切欠き部１１と表示部２０との間を上方又は下方に折り曲げて屈曲部１４を設けてもよい。
【００２９】
図６（ｂ）及び図７に変形例４を示す。本変形例の缶用表示具１Ｄは、缶蓋６１の開封タブ６２とパネル面６３との間で挟持可能に形成される切欠き部１１における凹状縁部１２と、表示部２０と、を備えるシート本体１０と、を有する。切欠き部１１の両外側のシート本体１０の縁形状は直線状に形成されて、表示部２０との接続縁を凹円弧状に円弧縁１８Ｄが形成される。切欠き部１１の両外側の直線状の縁と円弧縁１８Ｄとの接続部近傍のシート本体１０には、スリット１４Ｄｂが円弧状に切り込み形成される。そして、スリット１４Ｄｂの終端を接続するように、スリット１４Ｄｂと略同じ曲率の折筋１４Ｄａが円弧状に形成される。屈曲部１４Ｄは、折筋１４Ｄａ、スリット１４Ｄｂを備える。
【００３０】
缶用表示具１Ｄは、図７に示すように、凹状縁部１２を開封タブ６２とパネル面６３との間に差し込み、表示部２０が缶胴６８側に倒れるように屈曲部１４Ｄを折り曲げる。屈曲部１４Ｄは、折筋１４Ｄａとスリット１４Ｄｂにより、スムーズに折り曲げることができる。屈曲部１４Ｄの曲率は、縁部６６の曲率と略同一とすると好適である。シート本体１０における屈曲部１４Ｄの位置は、折り曲げたときに縁部６６に位置されると好適である。このように、屈曲部１４（１４Ｄ）は、表示部２０をパネル面６３に対して略垂直方向に配置するよう形成されるものであり、種々の形態で形成することができる。
【００３１】
以上、本考案の実施形態を説明したが、本考案は本実施形態によって限定されることは無く、種々変更して実施することができる。例えば、缶用表示具１は、紙製としたが、樹脂シートやその他の材料で形成したシートから形成してもよい。また、缶用表示具１は、飲料用の缶容器６０に取り付けたが、これに限られず、いわゆる缶詰等の食品用や、オイルやペンキ等、種々の缶容器にも取り付けることができる。また、開封タブ６２は、本実施形態のようなステイオンタイプだけではなく、プルタブ方式等の他の形式の開封タブであってもよい。また、缶容器６０の形式も、パーシャルオープンエンドやフルオープンエンドの缶容器であってもよい。
【符号の説明】
【００３２】
１，１Ａ〜１Ｄ      缶用表示具
１０    シート本体                    １０ａ  下側端縁
１１，１１Ｂ    切欠き部
１１ａ，１１Ｂａ  直線拡開縁          １１ｂ，１１Ｂｂ  円弧連結縁
１２，１２Ｂ    凹状縁部              １３    舌片状スリット
１３ａ  舌片支持部                    １４，１４Ｃ，１４Ｄ    屈曲部
１４ａ，１４Ｄａ  折筋                １４Ｄｂ  スリット
１５    第１の缶蓋係合部              １５ａ  第１角部
１５ｂ  第２角部                      １５ｃ  縁線
１６    支持突起片部                  １６ａ  角部
１６ｂ  外側端縁                      １７    第２の缶蓋係合部
１７ａ  横縁辺                        １８Ｃ，１８Ｄ  円弧縁
２０，２０Ａ    表示部                ６０，６０Ａ    缶容器
６１    缶蓋                          ６２    開封タブ
６２ａ  指掛け部                      ６３    パネル面
６４    固定部                        ６５    スコア
６６    縁部                          ６８    缶胴
６８ａ  肩部
【図１】
0003228967.tif 000003
【図２】
0003228967.tif 000004
【図３】
0003228967.tif 000005
【図４】
0003228967.tif 000006
【図５】
0003228967.tif 000007
【図６】
0003228967.tif 000008
【図７】
0003228967.tif 000009